(57)【要約】回線の有効使用と高音質を両立させるため、同一呼内において音声コーデックを切り替えても、通話者が違和感を持たないディジタル回線伝送装置を得ることを目的とする。高音質でビットレートが高い第１音声コーデック７、音質は高くないがビットレートが低い第２音声コーデック８を符号器内に有し、運用監視制御部４からのベアラ回線１１１のトラヒックの大小を判別した制御情報を基にこれらの音声コーデックの切り替えを行なう。信号検出部３内の有音検出部３１において入力される音声信号の無音部分を検出し、無音時に音声コーデックの切り替えを行なう。
2003067792.tif 000002
【特許請求の範囲】
【請求項１】
音声信号の符号化および復号を行なう第１の音声符号化装置と、音声信号の符号化および復号を行なう第２の音声符号化装置と、非音声信号の符号化および復号を行なう非音声符号化装置とを備えた符号・復号器と、
上記符号・復号器に入力される信号が有音および無音のいずれであるかを検出する有音検出部と、上記入力される信号が音声信号および非音声信号のいずれであるかを識別する音声・非音声信号識別部とを備えた信号識別器と、
上記第１の音声符号化装置、上記第２の音声符号化装置および上記非音声符号化装置の各々の出力を多重化する信号多重・分離部と、
上記第１の音声符号化装置、上記第２の音声符号化装置および上記非音声符号化装置のいずれかに上記入力される信号を供給する切替器とを有し、
上記入力される信号が無音のときに上記第１の音声符号化装置および上記第２の音声符号化装置の一方から他方へ切り替えて供給されることを特徴とする圧縮符号化ディジタル回線伝送装置。
【請求項２】
符号・復号器が、
第１の音声符号化装置から出力される音声信号を遅延させる第１の遅延部と、
第２の音声符号化装置から出力される音声信号を遅延させる第２の遅延部とをさらに有することを特徴とする請求の範囲第１項記載のディジタル回線伝送装置。
【請求項３】
符号・復号器に入力される信号が無音である無音時間を計測する無音時間計測部をさらに有し、
上記無音時間が設定時間より長いときに、第１の音声符号化装置および第２の音声符号化装置の一方から他方へ切り替えを行なうことを特徴とする請求の範囲第１項記載のディジタル回線伝送装置。
【請求項４】
符号・復号器に入力される信号が無音である無音時間を計測する無音時間計測部をさらに有し、
上記無音時間が設定時間より長いときに、第１の音声符号化装置および第２の音声符号化装置の一方から他方へ切り替えを行なうことを特徴とする請求の範囲第２項記載のディジタル回線伝送装置。
【請求項５】
運用情報の監視および各種設定を行なうための運用監視制御卓をさらに有し、
ディジタル回線のトラヒックの大小を判定するための判定閾値が上記運用監視制御卓を用いて設定され、
上記判定閾値を基準として、第１の音声符号化装置および第２の音声符号化装置の一方から他方へ切り替えを行なうことを特徴とする請求の範囲第１項記載のディジタル回線伝送装置。
【請求項６】
運用情報の監視および各種設定を行なうための運用監視制御卓をさらに有し、
ディジタル回線のトラヒックの大小を判定するための判定閾値が上記運用監視制御卓を用いて設定され、
上記判定閾値を基準として、第１の音声符号化装置および第２の音声符号化装置の一方から他方へ切り替えを行なうことを特徴とする請求の範囲第２項記載のディジタル回線伝送装置。
【請求項７】
運用情報の監視および各種設定を行なうための運用監視制御卓をさらに有し、
設定時間が上記運用監視制御卓を用いて設定されることを特徴とする請求の範囲第３項記載のディジタル回線伝送装置。
【請求項８】
運用情報の監視および各種設定を行なうための運用監視制御卓をさらに有し、
設定時間が上記運用監視制御卓を用いて設定されることを特徴とする請求の範囲第４項記載のディジタル回線伝送装置。
【請求項９】
運用監視制御卓が、時刻を計数するための時計を有し、
上記時計によって計数された時刻に応じて異なる種類の判定閾値が基準として用いられることを特徴とする請求の範囲第５項記載のディジタル回線伝送装置。
【請求項１０】
運用監視制御卓が、時刻を計数するための時計を有し、
上記時計によって計数された時刻に応じて異なる種類の設定時間が用いられることを特徴とする請求の範囲第７項記載のディジタル回線伝送装置。
【請求項１１】
運用監視制御卓が、時刻を計数するための時計を有し、
上記時計によって計数された時刻に応じて異なる種類の判定閾値が基準として用いられることを特徴とする請求の範囲第６項記載のディジタル回線伝送装置。
【請求項１２】
運用監視制御卓が、時刻を計数するための時計を有し、
上記時計によって計数された時刻に応じて異なる種類の設定時間が用いられることを特徴とする請求の範囲第８項記載のディジタル回線伝送装置。
【請求項１３】
符号化方式または符号化する際のビットレートが異なる複数の符号化装置と、
上記符号化装置の出力を回線へ出力するインタフェースと、
入力された音声信号を上記複数の符号化装置へ選択的に出力する切替器と、
上記回線におけるトラヒック量に基づき上記切替器の出力先を制御するとともに、上記音声信号の音声レベルに基づき上記切替器の切替タイミングを制御する制御部とを有することを特徴とするディジタル回線伝送装置。
【発明の詳細な説明】
技術分野
この発明は、ディジタル通信に用いられ、音声信号を高能率に伝送することができるディジタル回線伝送装置に関するものである。
背景技術
公衆回線および企業内通信のいずれかであるにかかわらず、通信においては通信コストの低減、回線の有効利用という課題があり、通信トラヒックの大部分を占める音声信号の高能率伝送を実現するため、様々な音声符号化方式が実現されている。近年、８ｋｂｉｔ／ｓ  ＣＳ−ＡＣＥＬＰ（Ｃｏｎｊｕｇａｔｅ−Ｓｔｒｕｃｔｕｒｅ  Ａｌｇｅｂｒａｉｃ−Ｃｏｄｅ−Ｅｘｃｉｔｅｄ  Ｌｉｎｅａｒ  Ｐｒｅｄｉｃｔｉｏｎ：共役構造代数的符号励振線形予測）音声符号化方式に代表されるような、低ビットレートでの音声符号化・復号方式に基づく高能率音声符号化装置を適用したディジタル回線伝送装置が実現されている。
回線をより有効に利用するためには、より高能率の音声符号化装置（以下音声コーデックと記載する。）を適用する必要がある。すなわち、より低レートの音声符号化装置を適用する必要がある。低ビットレートの音声コーデックを適用した場合には、６４ｋｂｉｔ／ｓの音声ＰＣＭ信号に対して、例えば８ｋｂｉｔ／ｓの音声コーデックを適用した場合には、８倍の圧縮効率が得られる。それに対して、３２ｋｂｉｔ／ｓの音声コーデックを適用した場合には２倍の圧縮効率が得られることになる。
音声コーデックの符号化／復号方式は、低ビットレートであっても音質の高い性能を実現しているものもあるが、一般的には、高ビットレートのコーデックの方が低ビットレートのコーデックよりも音質の品質が高い。
通信回線上の情報伝送上の余裕がある場合には、できるだけ高ビットレートのコーデックを使用して音質を確保し、情報伝送上の余裕がない場合には、低ビットレートのコーデックを使用して通信回線をできるだけ有効に利用するという考え方は従来からある。可変レートコーデックを適用して音声の符号化／復号に使用する音声コーデックのビットレートを回線状況に応じて変更するもの、あるいは、通信回線のトラヒック量によりコーデックを切り替える方式をとるものがある。
第１図は例えば特開昭６３−２２６１３８号公報に示されたコーデックを切り替える方式の従来のディジタル回線伝送装置を示す構成図であり、図において、４０は送信側伝送装置であり、４５は音声信号が入力される入力ラインである。４６は音声信号が入力されて符号化された音声信号を出力する６４ｋｂｉｔ／ｓコーデックであり、４７は音声信号が入力されて符号化された音声信号を出力する３２ｋｂｉｔ／ｓコーデックであり、４８は音声信号が入力されて音声圧縮信号を出力する１６ｋｂｉｔ／ｓコーデックである。４９はそれぞれのコーデックからの音声圧縮信号が入力されて選択された音声圧縮信号を出力する選択回路である。５０は選択された音声圧縮信号および制御信号が入力されて多重化信号を出力する多重分離回路である。５１は制御信号を出力する制御回路である。６０は受信側伝送装置であり、６６は音声圧縮信号が入力されて音声信号を出力する６４ｋｂｉｔ／ｓコーデックであり、６７は音声圧縮信号が入力されて音声信号を出力する３２ｋｂｉｔ／ｓコーデックであり、６８は音声圧縮信号が入力されて音声信号を出力する１６ｋｂｉｔ／ｓコーデックである。６９は音声圧縮信号が入力されてコーデックに音声圧縮信号を供給する選択回路である。７０は多重化信号が入力されて音声圧縮信号および制御情報信号を出力する多重分離回路である。７１は制御情報信号が入力されて制御信号を出力する制御回路である。７５は音声信号が出力される出力ラインである。５２は送信側伝送装置４０および受信側伝送装置６０を結ぶディジタル回線である。
次に動作について説明する。
入力ライン４５に入力された音声信号は６４ｋｂｉｔ／ｓコーデック４６、３２ｋｂｉｔ／ｓコーデック４７および１６ｋｂｉｔ／ｓコーデック４８に入力され、それぞれのコーデックにおいて音声信号が符号化されて音声圧縮信号が生成される。各コーデックから出力された音声圧縮信号は選択回路４９に入力される。制御回路５１は、音声信号が各コーデックに入力される前にディジタル回線５２上のトラヒックを検出し、現状のトラヒック量に最適の音声圧縮信号を選択するため、送受信のディジタル回線伝送装置間の通話に使用するコーデックを、上記コーデック４６，４７，４８のうちから予め選択しておく。
送信側伝送装置４０と受信側伝送装置６０のコーデックの選択・決定等の制御情報の伝達は、制御情報信号用チャネル（第２図に示す）を使用して、送信側伝送装置４０の制御回路５１と受信側伝送装置６０の制御回路７１との間で行なわれる。通信フォーマットの一例を第２図に示す。この例では、情報チャネルＣＨ１，ＣＨ２，・・・ＣＨｎの端部に設けられた制御情報信号用チャネルＳを使用する。
選択回路４９では、通話に最適の圧縮度のコーデックを制御回路５１からの制御信号に従って選択し、選択されたコーデックからの音声圧縮信号を多重分離回路５０に供給する。多重分離回路５０では、制御回路５１からの制御信号に従って選択・決定された音声圧縮に対応したディジタル信号の多重化を行なって、ディジタル回線５２に送出する。なお、多重分離回路５０においては、音声圧縮信号と共に制御回路５１および制御回路７１間の制御情報信号の多重化および分離を行なう。
受信側伝送装置６０においては、多重分離回路７０により音声圧縮信号（符号化音声信号）が分離され、選択回路６９に入力され、制御回路７１からの制御信号に従って、選択・決定されたコーデックへ符号化音声信号が供給される。６４ｋｂｉｔ／ｓコーデック６６、３２ｋｂｉｔ／ｓコーデック６７および１６ｋｂｉｔ／ｓコーデック６８は、選択回路６９から供給された符号化音声信号を復号して音声信号を生成し、制御回路７１のコーデック出力に関する制御信号の指定に従い、音声信号を出力する。
ここで、この従来のディジタル回線伝送装置では、同一呼内で使用するコーデックの切り替えを行った場合には、異なる符号化／復号化方式によるコーデックでは、符号化／復号化方式の処理遅延の差が存在するため、切り替えた時点で音声信号の欠落あるいは重複が発生して、聴覚上不自然となるので、これを回避するために、使用するコーデックの切り替えは呼毎に行なうようにしている。すなわち、対向する多重化伝送装置間の制御に関する固有の情報（第２図に示された制御情報信号用チャネルによって伝送される）が確認され、発呼処理・着呼処理が完了して送受信が行なわれる（呼が成立する）までに予め回線状況等に応じて使用するコーデックを決定しておき、呼が終了するまで同じコーデックを使用するようにしている。
従来のディジタル回線伝送装置は以上のように構成されているので、ある呼が成立している間は、コーデックの切り替えができないことになり、回線の有効利用という観点からは効率を上げることができないという課題があった。
この発明は上記のような課題を解決するためになされたもので、通信回線の状況等に応じて音声コーデックの切り替えを実施しても聴覚上全く自然でかつ通信回線を常に有効に利用できるディジタル回線伝送装置を提供することを目的とする。
発明の開示
この発明に係るディジタル回線伝送装置は、音声信号の符号化および復号を行なう第１の音声符号化装置と、音声信号の符号化および復号を行なう第２の音声符号化装置と、非音声信号の符号化および復号を行なう非音声符号化装置とを備えた符号・復号器と、符号・復号器に入力される信号が有音および無音のいずれであるかを検出する有音検出部と、入力される信号が音声信号および非音声信号のいずれであるかを識別する音声・非音声信号識別部とを備えた信号識別器と、第１の音声符号化装置、第２の音声符号化装置および非音声符号化装置の各々の出力を多重化する信号多重・分離部と、第１の音声符号化装置、第２の音声符号化装置および非音声符号化装置のいずれかに入力される信号を供給する切替器とを有し、入力される信号が無音のときに第１の音声符号化装置および第２の音声符号化装置の一方から他方へ切り替えて供給されるものである。
このことによって、同一呼内で音声コーデックを切り替えることができ、回線を効率的に使用することができるという効果がある。
この発明に係るディジタル回線伝送装置は、符号・復号器が、第１の音声符号化装置から出力される音声信号を遅延させる第１の遅延部と、第２の音声符号化装置から出力される音声信号を遅延させる第２の遅延部とをさらに有するものである。
このことによって、処理遅延が異なる音声コーデックを使用してもディジタル回線伝送装置内部で全体の処理遅延をそろえることができ、同一呼内で音声コーデックの切り替えを実施しても、通話者が切り替えを意識することがないようにすることができるという効果がある。
この発明に係るディジタル回線伝送装置は、符号・復号器に入力される信号が無音である無音時間を計測する無音時間計測部をさらに有し、無音時間が設定時間より長いときに、第１の音声符号化装置および第２の音声符号化装置の一方から他方へ切り替えを行なうものである。
このことによって、切り替える音声コーデック間の音質の差が通話者に認識されにくく、通話者が切り替えを意識せずにより自然な通話をすることができるという効果がある。
この発明に係るディジタル回線伝送装置は、運用情報の監視および各種設定を行なうための運用監視制御卓をさらに有し、ディジタル回線のトラヒックの大小を判定するための判定閾値が運用監視制御卓を用いて設定され、判定閾値を基準として、第１の音声符号化装置および第２の音声符号化装置の一方から他方へ切り替えを行なうものである。
このことによって、運用管理者が回線の使用状況等を加味して判定閾値を設定することができ、ディジタル回線伝送装置をより利便性の高いものとすることができるという効果がある。
この発明に係るディジタル回線伝送装置は、運用情報の監視および各種設定を行なうための運用監視制御卓をさらに有し、第１の音声符号化装置および第２の音声符号化装置の一方から他方への切り替えを行う場合の無音時間の設定時間が運用監視制御卓を用いて設定されるものである。
このことによって、運用管理者が回線の使用状況等を加味して設定時間を設定することができ、ディジタル回線伝送装置をより利便性の高いものとすることができるという効果がある。
この発明に係るディジタル回線伝送装置は、運用監視制御卓が、時刻を計数するための時計を有し、時計によって計数された時刻に応じて異なる種類の判定閾値が基準として用いられるものである。
このことによって、運転管理者の負担を減らし、かつ時刻に応じたきめ細かな運用ができ、ディジタル回線伝送装置をより利便性の高いものとすることができるという効果がある。
この発明に係るディジタル回線伝送装置は、運用監視制御卓が、時刻を計数するための時計を有し、時計によって計数された時刻に応じて異なる種類の第１の音声符号化装置および第２の音声符号化装置の一方から他方への切り替えを行う場合の無音時間の設定時間が用いられるものである。
このことによって、運転管理者の負担を減らし、かつ時刻に応じたきめ細かな運用ができ、ディジタル回線伝送装置をより利便性の高いものとすることができるという効果がある。
発明を実施するための最良の形態
以下、この発明をより詳細に説明するために、この発明を実施するための最良の形態について、添付の図面に従って説明する。
実施の形態１．
第３図はこの発明の実施の形態１によるディジタル回線伝送装置を示す構成図であり、図において、１１０は入力信号（音声信号、ＶＢＤ（Ｖｏｉｃｅ  Ｂａｎｄ  Ｄａｔａ）およびＦＡＸ信号）を伝達する複数のトランク回線である。１はトランク回線１１０からの入力信号、および復号器１５からの復号された信号が入力され、フォーマット変換された入力信号、およびトランク回線１１０への出力信号を出力するトランクインタフェース部である。３はトランクインタフェース部１からのフォーマット変換された入力信号を検出・識別する信号検出部であり、３１は有音情報を出力する有音検出部であり、３２は音声・非音声識別情報を出力する音声・非音声識別部であり、信号検出部３は有音検出部３１と音声・非音声識別部３２で構成されている。
４はトラヒック情報が入力され、制御情報を出力する運用監視制御部である。６はフォーマット変換された入力信号、有音情報、音声・非音声識別情報および制御情報が入力され、フォーマット変換された入力信号を出力する送信側コーデック切替器である。１４は送信側コーデック切替器６から出力されたフォーマット変換された入力信号が入力され、符号化された信号を出力する符号器である。７は送信側コーデック切替器６で選択されたフォーマット変換された入力信号が入力され、符号化された信号としての符号化された音声信号を出力する第１音声コーデックであり、８は送信側コーデック切替器６で選択されたフォーマット変換された入力信号が入力され、符号化された信号としての符号化された音声信号を出力する第２音声コーデックであり、９は送信側コーデック切替器６で選択されたフォーマット変換された入力信号が入力され、符号化された信号としての非音声の符号化信号を出力する非音声信号符号化コーデックである。符号器１４は、第１音声コーデック７、第２音声コーデック８および非音声信号符号化コーデック９で構成されている。
５は符号器１４からの符号化された信号、信号検出部３からの有音情報および音声・非音声識別情報、およびベアラインタフェース部２からのフォーマット変換された受信信号が入力され、多重化された送出信号、トラヒック情報、分離された受信信号、およびコーデックに関する情報を出力する信号多重・分離部である。２はベアラ回線１１１からの受信信号、および信号多重・分離部５からの多重化された送出信号が入力され、フォーマット変換された受信信号、およびベアラ回線１１１への送出信号を出力するベアラインタフェース部である。１１１はベアラ回線である。１３は分離された受信信号およびコーデックに関する情報が入力され、分離された受信信号を出力する受信側コーデック切替器である。
１５は分離された受信信号が入力され、復号された信号を出力する復号器である。１０は受信側コーデック切替器１３で選択された分離された受信信号が入力され、復号された信号としての復号された音声信号を出力する第１音声コーデックである。１１は受信側コーデック切替器１３で選択された分離された受信信号が入力され、復号された信号としての復号された音声信号を出力する第２音声コーデックである。１２は受信側コーデック切替器１３で選択された分離された受信信号が入力され、復号された信号としての復号された非音声信号を出力する非音声信号符号化コーデックである。復号器１５は、第１音声コーデック１０、第２音声コーデック１１および非音声信号符号化コーデック１２で構成されている。
次に動作について説明する。
まず、送信側すなわち符号化側について動作を説明する。
トランク回線１１０からの入力信号はトランクインタフェース部１に入力される。トランクインタフェース部１では、入力信号をディジタル回線伝送装置内部処理用のフォーマットに変換して、フォーマット変換された入力信号を信号検出部３と送信側コーデック切替器６へ送出する。信号検出部３では、有音検出部３１がフォーマット変換された入力信号が有音および無音のいずれであるかの判定を行い、音声・非音声信号識別部３２がフォーマット変換された入力信号が音声信号および音声信号以外のＶＢＤ（Ｖｏｉｃｅ  ｂａｎｄ  ｄａｔａ）のいずれであるかの判定を行い、この判定結果を有音情報および音声・非音声識別情報として、送信側コーデック切替器６および信号多重・分離部５へ送出する。
信号多重・分離部５は、符号器１４から出力された符号化された信号を信号検出部３から出力される有音情報および音声・非音声識別信号に基づいて多重化し、多重化された送出信号としてベアラインタフェース部２を介してベアラ回線１１１に送出する。したがって、信号多重・分離部５では多重化された送出信号のトラヒックの大小をベアラ回線１１１のトラヒックの大小として検出することができ、検出されたトラヒックの大小に関する情報をトラヒック情報として運用監視制御部４に出力している。
運用監視制御部４では、信号多重・分離部５から供給されたトラヒック情報に基づき、ベアラ回線１１１のトラヒックが増加して高ビットレートの音声コーデックから低ビットレートの音声コーデックへの切り替えが必要と判断した場合、あるいは、逆にベアラ回線１１１のトラヒックが小さくなり低ビットレートの音声コーデックから高ビットレートの音声コーデックへの切り替えが可能であると判断した場合、その判断結果を制御情報として送信側コーデック切替器６に送出する。
尚、第３図においては、第１音声コーデック７が高ビットレートのコーデックであり、第２音声コーデック８が低ビットレートのコーデックであるとし、ベアラ回線１１１が混雑していない（ベアラ回線１１１のトラヒックが大きくない）場合には第１音声コーデック７が選択され、ベアラ回線１１１が混雑している（ベアラ回線１１１のトラヒックが大きい）場合には第２音声コーデック８が選択されるものとする。
送信側コーデック切替器６は、信号検出部３からの有音情報および音声・非音声識別情報と、運用監視制御部４からの制御情報に基づいて、トランクインタフェース部１から出力されるフォーマット変換された入力信号を第１音声コーデック７、第２音声コーデック８および非音声信号符号化コーデック９のいずれかに供給するように切り替えを実施する。
次に、送信側コーデック切替器６の動作について説明する。
信号検出部３からの有音情報および音声・非音声情報が、トランクインタフェース部１から出力されたフォーマット変換された入力信号が有音で音声信号であることを表し、運用監視制御部４からの制御情報が（ベアラ回線１１１のトラヒックが大きいので）低ビットレートの音声コーデックを使用することを表している場合、送信側コーデック切替器６はトランクインタフェース部１から出力されるフォーマット変換された入力信号を第２音声コーデック８へ出力する。一方、信号検出部３からの有音情報および音声・非音声情報が、トランクインタフェース部１から出力されたフォーマット変換された入力信号が有音で非音声信号であることを表している場合には、送信側コーデック切替器６はトランクインタフェース部１から出力されるフォーマット変換された入力信号を非音声信号符号化コーデック９へ出力する。
次に、ベアラ回線１１１のトラヒックの大小が変化して音声コーデックを切り替える必要が生じた場合の動作を第４図を参照して説明する。
第４図は、ベアラ回線１１１のトラヒックが小から大に変化して、音声コーデックを高ビットレートの第１音声コーデック７から低ビットレートの第２音声コーデック８に切り替える場合の動作を示す図である。図において、横軸は時間（秒）を表している。Ｓ１はトランクインタフェース部１から出力されるフォーマット変換された入力信号を表し、Ｓ２は第１音声コーデック７から出力される符号化された音声信号を表し、Ｓ３は第２音声コーデック８から出力される符号化された音声信号を表し、Ｓ４はベアラ回線１１１のトラヒックの大小を表している。
トランクインタフェース部１から出力されるフォーマット変換された入力信号Ｓ１が無音から有音になったとき（第４図の時刻Ａ）、ベアラ回線１１１のトラヒックＳ４は小なので、送信側コーデック切替器６によって高ビットレートの第１音声コーデック７が選択されている。第１音声コーデック７から出力される符号化された音声信号Ｓ２は、時刻Ａから処理に要する遅延時間ＴｄＡ１（秒）が経過した後に出力される。ベアラ回線１１１のトラヒックＳ４が小から大に変化した（時刻Ｅ）後、フォーマット変換された入力信号が有音から無音になったとき（時刻Ｂ）、音声コーデックを低ビットレートの第２音声コーデック８に切り替え、次にフォーマット変換された入力信号が無音から有音になったときには（時刻Ｃ）、第２音声コーデック８によって符号化処理が行なわれる。第２音声コーデック８から出力される符号化された音声信号Ｓ３は、時刻Ｃから処理に要する遅延時間ＴｄＢ１（秒）が経過した後に出力される。ここで、ベアラ回線１１１のトラヒックＳ４は運用監視制御部４から出力される制御情報に反映されている。
第１音声コーデック７から出力される符号化された音声信号Ｓ２、第２音声コーデック８から出力される符号化された音声信号Ｓ３、および非音声信号符号化コーデック９から出力される非音声の符号化信号は、信号多重・分離部５で多重化されて、制御情報信号用チャネルにのせるべき情報とともに多重化された送出信号としてベアラインタフェース部２に出力されて、ベアラ回線１１１に送出信号として出力される。
次に、受信側すなわち復号側について動作を説明する。
ベアラ回線１１１から受信された受信信号は、ベアラインタフェース部２に入力される。ベアラインタフェース部２は受信信号をディジタル回線伝送装置内部処理用のフォーマットに変換した後、フォーマット変換された受信信号を信号多重・分離部５へ出力する。信号多重・分離部５では、ベアラ回線１１１を通して伝送された制御チャネルから対向する（受信信号を送出する）ディジタル回線伝送装置の制御情報中のコーデックに関する情報を分離し、受信側コーデック切替器１３にコーデックに関する情報を送出する。
受信側コーデック切替器１３は、対向するディジタル回線伝送装置のコーデックに関する情報に基づき、フォーマット変換された受信信号を、第１音声コーデック１０、第２音声コーデック１１、および非音声信号符号化コーデック１２のいずれかに切り替え送出する。第１音声コーデック１０から出力される復号された音声信号、第２音声コーデック１１から出力される復号された音声信号、および非音声信号符号化コーデック１２から出力される復号された非音声信号は、復号された信号としてトランクインタフェース部１を経由してトランク回線１１０に出力される。
なお、上記の説明では、ベアラ回線１１１の状態が、十分空きがある状態から混雑する状態に変化し、第１音声コーデック７から第２音声コーデック８に切り替わる場合について説明したが、ベアラ回線１１１の状態が混雑している状態から十分空きがある状態に変化し、第２音声コーデック８から第１音声コーデック７に切り替わる場合についても同様に無音検出時に切り替えを行なう。
以上のように、この実施の形態１のディジタル回線伝送装置は、音声信号の符号化および復号を行なう第１の音声符号化装置（７および１０）と、音声信号の符号化および復号を行なう第２の音声符号化装置（８および１１）と、非音声信号の符号化および復号を行なう非音声符号化装置（９および１２）とを備えた符号・復号器（１４および１５）と、符号・復号器（１４および１５）に入力される信号が有音および無音のいずれであるかを検出する有音検出部（３１）と、入力される信号が音声信号および非音声信号のいずれであるかを識別する音声・非音声信号識別部（３２）とを備えた信号検出部（３）と、第１の音声符号化装置、第２の音声符号化装置および非音声符号化装置の各々の出力を多重化する信号多重・分離部（５）と、第１の音声符号化装置、第２の音声符号化装置および非音声符号化装置のいずれかに入力される信号を供給する切替器（６および１３）とを有し、入力される信号が無音のときに第１の音声符号化装置および第２の音声符号化装置の一方から他方へ切り替えて供給されるものである。
以上で明らかなように、この実施の形態１によれば、入力する音声信号の無音部分を検出して、入力する音声信号が無音のときに符号化・復号に使用する音声コーデックを切り替えるように構成したので、同一呼内で音声コーデックを切り替えることができ、回線を効率的に使用することができる効果を奏する。
実施の形態２．
第５図はこの発明の実施の形態２によるディジタル回線伝送装置を示す構成図であり、図において、２０は第１音声コーデック７からの符号化された音声信号が入力され、遅延された符号化音声信号を出力する遅延部Ａである。２１は第２音声コーデック８からの符号化された音声信号が入力され、遅延された符号化音声信号を出力する遅延部Ｂである。２２は第１音声コーデック１０からの復号された音声信号が入力され、遅延された復号音声信号を出力する遅延部Ａである。２３は第２音声コーデック１１からの復号された音声信号が入力され、遅延された復号音声信号を出力する遅延部Ｂである。図において第３図に示された実施の形態１と同一の符号は、同一の構成要素を示している。
次に動作について説明する。
符号器１４の第１音声コーデック７から出力される符号化された音声信号は、遅延部Ａ２０に入力される。遅延部Ａ２０では、符号化された音声信号に遅延が挿入されて、遅延された符号化音声信号が符号化された信号として信号多重・分離部５に入力される。符号器１４の第２音声コーデック８から出力される符号化された音声信号についても同様に、遅延部Ｂ２１によって遅延が挿入されて、遅延された符号化音声信号が符号化された信号として信号多重・分離部５に入力される。
復号器１５の第１音声コーデック１０から出力される復号された音声信号は、遅延部Ａ２２に入力され、遅延が挿入されて、遅延された復号音声信号が復号された信号としてトランクインタフェース部１に入力される。復号器１５の第２音声コーデック１１から出力される復号された音声信号についても同様に、遅延部Ｂ２３によって遅延が挿入されて、遅延された復号音声信号が復号された信号としてトランクインタフェース部１に入力される。
次に、遅延部Ａ２０および遅延部Ｂ２１によって挿入される遅延について、第６図を参照して説明する。
第６図は、高ビットレートの第１音声コーデック７からの符号化された音声信号と、低ビットレートの第２音声コーデック８からの符号化された音声信号に遅延を挿入する場合の動作を示す図である。図において、横軸は時間（秒）を表している。Ｓ１はトランクインタフェース部１から出力されるフォーマット変換された入力信号を表し、Ｓ２は第１音声コーデック７から出力される符号化された音声信号を表し、Ｓ３は第２音声コーデック８から出力される符号化された音声信号を表し、Ｓ２’は遅延部Ａ２０から出力される遅延された符号化音声信号を表し、Ｓ３’は遅延部Ｂ２１から出力される遅延された符号化音声信号を表している。
第６図において、第１音声コーデック７の符号化処理による遅延時間をＴｄＡ１（秒）、第２音声コーデック８の符号化処理による遅延時間をＴｄＢ１（秒）、遅延部Ａ２０による遅延時間をＴｄＢ２（秒）、遅延部Ｂ２１による遅延時間をＴｄＢ２（秒）とする。遅延時間ＴｄＡ２および遅延時間ＴｄＢ２は、以下の関係式が成り立つように設定される。
ＴｄＡ１＋ＴｄＡ２＝ＴｄＢ１＋ＴｄＢ２      （式１）
第６図において、送信側コーデック切替器６によって第１音声コーデック７が選択された場合、フォーマット変換された信号Ｓ１が第１音声コーデック７に入力されてから遅延時間ＴｄＡ１が経過した後に、符号化された音声信号（第１音声コーデックの出力信号）Ｓ２が出力されて、遅延部Ａ２０へ入力される。つぎに、遅延部Ａ２０で遅延が挿入された結果、遅延部Ａ２０に符号化された音声信号Ｓ２が入力されてから遅延時間ＴｄＡ２が経過した後に、遅延された符号化音声信号（遅延部Ａ２０の出力信号）Ｓ２’が遅延部Ａ２０から出力される。その結果、符号器１４から出力される符号化音声信号である遅延された符号化音声信号は、ＴｄＡ１＋ＴｄＡ２（秒）の遅延で、信号多重・分離部５に対して出力されることになる。
第２音声コーデック８が選択された場合も同様に、フォーマット変換された信号Ｓ１が第２音声コーデック８に入力されてから遅延時間ＴｄＢ１が経過した後に、符号化された音声信号（第２音声コーデックの出力信号）Ｓ３が出力されて、遅延部Ｂ２１へ入力される。つぎに、遅延部Ｂ２１で遅延が挿入された結果、遅延部Ｂ２１に符号化された音声信号Ｓ３が入力されてから遅延時間ＴｄＢ２が経過した後に、遅延された符号化音声信号（遅延部Ｂ２１の出力信号）Ｓ３’が遅延部Ｂ２１から出力される。その結果、符号器１４から出力される符号化音声信号である遅延された符号化音声信号は、ＴｄＢ１＋ＴｄＢ２（秒）の遅延で、信号多重・分離部５に対して出力されることになる。
第６図では、一例として第２音声コーデック８の符号化処理による遅延時間ＴｄＢ１の方が、第１音声コーデック７の符号化処理による遅延時間ＴｄＡ１より大きい場合を示しているが、この場合には、上記式１において、遅延時間ＴｄＢ２＝０として式１を満たすようにしてもよい。したがって、遅延部Ａ２０および遅延部Ｂ２１は、第６図に示すように、送信側コーデック切替器６から符号器１４にフォーマット変換された入力信号が入力されてから、符号器１４から信号多重・分離部５へ遅延された符号化音声信号が出力されるまでの遅延時間を、第１音声コーデック７および第２音声コーデック８のいずれが選択され場合にも同一にするように動作する。
以上のように、この実施の形態２のディジタル回線伝送装置は、実施の形態１の特徴に加えて、符号・復号器（１４および１５）が、第１の音声符号化装置（７および１０）から出力される音声信号を遅延させる第１の遅延部（２０および２２）と、第２の音声符号化装置（８および１１）から出力される音声信号を遅延させる第２の遅延部（２１および２３）とをさらに有するものである。
以上で明らかなように、この実施の形態２によれば、各音声コーデックの処理遅延の差をなくすように構成したので、互いに処理遅延が異なる音声コーデックを使用してもディジタル回線伝送装置内部で全体の処理遅延をそろえることができ、同一呼内で音声コーデックの切り替えを実施しても、通話者が切り替えを意識することがないようにすることができる効果を奏する。
実施の形態３．
第７図はこの発明の実施の形態３によるディジタル回線伝送装置を示す構成図であり、図において、３３は有音検出部３１からの有音情報が入力され、判定信号を出力する無音時間計測部である。図において第３図に示された実施の形態１と同一の符号は、同一の構成要素を示している。
次に動作について説明する。
有音検出部３１は、トランクインタフェース部１から出力されたフォーマット変換された入力信号が有音であるか無音であるかを表す有音情報を無音時間計測部３３に供給する。無音時間計測部３３は、入力された有音情報に基づいて、無音を検出後、無音が継続する無音時間を計測し、無音時間が予め決められた設定時間より大きいか小さいかを判定して、その判定結果を判別情報として出力する。無音時間計測部３３から出力された判別情報は、送信側コーデック切替器６に入力される。送信側コーデック切替器６では、信号検出部３からの有音情報および音声・非音声識別情報、運用監視制御部４からの制御情報、および無音時間計測部３３からの判別情報に基づいて、トランクインタフェース部１から入力されるフォーマット変換された入力信号の切り替えを行なう。
次に、信号の切り替えの詳細動作について、第８図を参照して説明する。
第８図は、トランク回線１１０からの入力信号の無音時間の長さに応じて第１音声コーデック７から第２音声コーデック８への切り替えを行なう場合の動作を示す図である。図において、横軸は時間（秒）を表している。Ｓ１はトランクインタフェース部１から出力されるフォーマット変換された入力信号を表し、Ｓ１’は第１音声コーデック７に入力されるフォーマット変換された入力信号を表し、Ｓ１’’は第２音声コーデック８に入力されるフォーマット変換された入力信号を表している。Ｓ２は第１音声コーデック７から出力される符号化された音声信号を表し、Ｓ３は第２音声コーデック８から出力される符号化された音声信号を表している。Ｓ４はベアラ回線１１１のトラヒックの大小を表し、Ｓ５は信号多重・分離部５に入力される符号化された信号を表している。
第８図において、第１音声コーデック７を高ビットレートの音声コーデック、第２音声コーデック８を低ビットレートの音声コーデックとし、ベアラ回線１１１が混雑していない場合は第１音声コーデック７が選択され、ベアラ回線１１１が混雑している場合は第２音声コーデック８が選択されるものとする。
トランクインタフェース部１から出力されるフォーマット変換された入力信号が音声信号である場合、信号検出部３内の有音検出部３１によって有音が検出され、音声・非音声信号識別部３２によって音声信号であると識別されて、その検出結果が、有音情報および音声・非音声識別情報として送信側コーデック切替器６に送出される。
運用監視制御部４では、信号多重・分離部５からのトラヒック情報に基づいて、ベアラ回線１１１の混雑状況がモニタされている。ベアラ回線１１１が混雑していない状態であると、運用監視制御部４からの制御情報と、信号検出部３からの有音情報および音声・非音声識別情報によって、送信側コーデック切替器６はトランクインタフェース部１からのフォーマット変換された入力信号Ｓ１を第１音声コーデック７に入力するように切り替えを行なう（第８図の時刻Ａ）。
第１音声コーデック７からは、入力されたフォーマット変換された入力信号Ｓ１’に対して符号化処理による遅延時間ＴｄＡ１（秒）だけ遅延された符号化された音声信号Ｓ２が出力される。
次に、フォーマット変換された入力信号Ｓ１が無音になると（第８図の時刻Ｂ）、無音時間計測部３３は無音時間の計測を開始する。無音時間計測部３３では、予め決められた設定時間ＴＣが設定されていて、この設定時間ＴＣより計測された無音時間が大きいか小さいかの判別を行なう。無音時間ＴＳ１が経過した後再び有音になったとする（第８図の時刻Ｃ）。第８図では、無音時間ＴＳ１が経過する間にベアラ回線１１１のトラヒックＳ４が小から大に（混雑していない状態から混雑した状態に）変化している（第８図の時刻Ａ’）。無音時間が設定時間ＴＣより小さい場合には、ベアラ回線１１１が混雑している状況であっても、トランクインタフェース部１からのフォーマット変換された入力信号Ｓ１を引き続き第１音声コーデック７へ入力する。すなわち、第８図の無音時間ＴＳ１は設定時間ＴＣより小さいので、音声コーデックの切り替えは行なわず、引き続き第１音声コーデック７で符号化処理を行なう。
第１音声コーデック７からは、入力されたフォーマット変換された入力信号Ｓ１’に対して符号化処理による遅延時間ＴｄＡ１（秒）だけ遅延された符号化された音声信号Ｓ２が出力される。
次に、再びフォーマット変換された入力信号Ｓ１が無音になると（第８図の時刻Ｄ）、無音時間計測部３３は無音時間の計測を開始し、計測された無音時間が設定時間ＴＣより大きくなった時点（第８図の時刻Ｅ）で判別信号を送信側コーデック切替器６に送出する。この後、フォーマット変換された入力信号Ｓ１は無音時間ＴＳ２が経過した後に有音になる（第８図の時刻Ｆ）。
送信側コーデック切替器６は、無音時間計測部３３からの判別信号を受け取ると（第８図の時刻Ｅ）、運用監視制御部４から低ビットレートのコーデックへの切り替えを指示する（ベアラ回線１１１が混雑している状況を表す）制御情報を既に受け取っている（第８図の時刻Ａ’）ので、第２音声コーデック８への切り替えを行なう。その結果、フォーマット変換された入力信号Ｓ１が無音時間ＴＳ２が経過して有音になる（第８図の時刻Ｆ）前に、第２音声コーデック８への切り替えが行なわれる。
第２音声コーデック８からは、入力されたフォーマット変換された入力信号Ｓ１’’に対して符号化処理による遅延時間ＴｄＢ１（秒）だけ遅延された符号化された音声信号Ｓ３が出力される。
以上の処理により、符号器１４から信号多重・分離部５へ入力される符号化された信号Ｓ５は、第８図に示すように、第１音声コーデック７から出力される符号化された音声信号Ｓ２および第２音声コーデック８から出力される符号化された音声信号Ｓ３を重ね合わせたものとなる。
以上のように、この実施の形態３のディジタル回線伝送装置は、実施の形態１の特徴に加えて、符号・復号器（１４および１５）に入力される信号が無音である無音時間を計測する無音時間計測部（３３）をさらに有し、無音時間が設定時間より長いときに、第１の音声符号化装置（７および１０）および第２の音声符号化装置（８および１１）の一方から他方へ切り替えを行なうものである。
以上で明らかなように、この実施の形態３によれば、無音の状態が継続する無音時間を計測してある設定された設定時間以上の無音時間のときに音声コーデックを切り替えるように構成したので、切り替える音声コーデック間の音質の差が通話者に認識されにくく、通話者が切り替えを意識せずにより自然な通話をすることができる効果を奏する。
実施の形態４．
第９図はこの発明の実施の形態４によるディジタル回線伝送装置を示す構成図であり、図において第３図に示された実施の形態１、第５図に示された実施の形態２、および第７図に示された実施の形態３と同一の符号は、同一の構成要素を示している。この実施の形態４は、実施の形態２のディジタル回線伝送装置に実施の形態３の無音時間計測部３３を加えた構成となっている。
次に動作について説明する。
第１音声コーデック７から出力された符号化された音声信号は遅延部Ａ２０に入力され、第２音声コーデック８から出力された符号化された音声信号は遅延部Ｂ２１に入力される。遅延部Ａ２０および遅延部Ｂ２１は、実施の形態２に関する第６図を参照した動作についての説明のように、トランクインタフェース部１からのフォーマット変換された入力信号が各コーデックで符号化され、信号多重・分離部５へ入力されるまでの全体の（符号器１４での）遅延時間を同一にするように動作する。無音時間検出部３３は、実施の形態３に関する第８図を参照した動作についての説明のように、信号検出部３の有音検出部３１から出力される有音情報を基に無音時間を計測し、予め決められた設定時間に対する無音時間の大小を判定して、判別情報を出力し、判別情報は送信側コーデック切替器６に供給される。
この実施の形態４によれば、運用監視制御部４によって判断されるベアラ回線１１１の混雑状態の変化によって、音声信号を符号化処理する音声コーデックの切り替えを実施した場合、遅延部Ａ２０および遅延部Ｂ２１の作用により、符号器１４での遅延時間が一定になり、かつ、無音時間計測部３３の作用によって、ある時間を超える無音時間があった場合に音声コーデックの切り替えが行なわれるので、通話者は不自然さを感じることがない。
以上のように、この実施の形態４のディジタル回線伝送装置は、実施の形態２の特徴に加えて、符号・復号器（１４および１５）に入力される信号が無音である無音時間を計測する無音時間計測部（３３）をさらに有し、無音時間が設定時間より長いときに、第１の音声符号化装置（７および１０）および第２の音声符号化装置（８および１１）の一方から他方へ切り替えを行なうものである。
以上で明らかなように、この実施の形態４によれば、各音声コーデックの処理遅延の差をなくすように構成したので、互いに処理遅延が異なる音声コーデックを使用してもディジタル回線伝送装置内部で全体の処理遅延をそろえることができ、同一呼内で音声コーデックの切り替えを実施しても、通話者が切り替えを意識することがないようにすることができる効果を奏する。
この実施の形態４によれば、無音の状態が継続する無音時間を計測してある設定された設定時間以上の無音時間のときに音声コーデックを切り替えるように構成したので、切り替える音声コーデック間の音質の差が通話者に認識されにくく、通話者が切り替えを意識せずにより自然な通話をすることができる効果を奏する。
実施の形態５．
第１０図はこの発明の実施の形態５によるディジタル回線伝送装置を示す構成図であり、図において、１００はこの発明の実施の形態１のディジタル回線伝送装置である。１０１はディジタル回線伝送装置１００との間で運用監視情報のやりとりを行なう運用監視制御卓であり、ディジタル回線伝送装置１００の運用情報を監視したり、運用上の様々なパラメータを設定したりするために用いられる。図において第３図に示された実施の形態１と同一の符号は、同一の構成要素を示している。
次に動作について説明する。
ディジタル回線伝送装置１００の運用監視制御部４は、運用監視制御卓１０１と接続され、運用監視制御卓１０１との間でディジタル回線伝送装置の状態、ベアラ回線１１１の状態、ディジタル回線伝送装置１００の設定値に関する情報などの運用監視情報のやりとりを行なう。
運用監視制御卓１０１は、運用管理者が上記の運用監視情報を監視したり、ディジタル回線伝送装置１００の設定を行なったりするために、マン・マシンインタフェース、すなわち表示並びに入力の機能を持つ機器である。実施の形態１のディジタル回線伝送装置１００の運用監視制御部４では、ベアラ回線１１１のトラヒックが増加し、高ビットレートの音声コーデックから低ビットレートの音声コーデックへの切り替えが必要であると判断した場合、あるいは、逆にベアラ回線１１１のトラヒックが小さくなり、低ビットレートの音声コーデックから高ビットレートの音声コーデックへの切り替えが可能であると判断した場合、その判断結果を制御情報として送信側コーデック切替器６に送出する。
この場合のトラヒックの大小を判断するための判定閾値は、運用管理者により運用監視制御卓１０１のマン・マシンインタフェースを使用して設定される。この設定された判定閾値は、ディジタル回線伝送装置１００の運用監視制御部４に送出され、ベアラ回線１１１のトラヒックの大小を判別するための基準として使用される。この判定閾値を基準として判別されたトラヒックの大小の判別結果が制御情報として送信側コーデック切替器６に送出され、送信側コーデック切替器６によって音声コーデックの切り替えが実施される。ディジタル回線伝送装置１００内の切り替え動作の詳細については、実施の形態１と同様なので説明を省略する。
以上の説明では、この実施の形態５を、実施の形態１のディジタル回線伝送装置１００に運転監視制御卓１０１を追加したものとして説明したが、この実施の形態５は、第５図に示された実施の形態２のディジタル回線伝送装置に運転監視制御卓１０１を追加したものでもよい。
以上のように、この実施の形態５のディジタル回線伝送装置は、実施の形態１の特徴に加えて、運用情報の監視および各種設定を行なうための運用監視制御卓（１０１）をさらに有し、ディジタル回線のトラヒックの大小を判定するための判定閾値が運用監視制御卓（１０１）を用いて設定され、判定閾値を基準として、第１の音声符号化装置（７および１０）および第２の音声符号化装置（８および１１）の一方から他方へ切り替えを行なうものである。
この実施の形態５のディジタル回線伝送装置は、実施の形態２の特徴に加えて、運用情報の監視および各種設定を行なうための運用監視制御卓（１０１）をさらに有し、ディジタル回線のトラヒックの大小を判定するための判定閾値が運用監視制御卓（１０１）を用いて設定され、判定閾値を基準として、第１の音声符号化装置（７および１０）および第２の音声符号化装置（８および１１）の一方から他方へ切り替えを行なうものである。
以上で明らかなように、この実施の形態５によれば、運用監視制御卓を用いて判定閾値を設定するように構成したので、運用管理者が回線の使用状況等を加味して判定閾値を設定することができ、ディジタル回線伝送装置をより利便性の高いものとすることができる効果を奏する。
実施の形態６．
第１１図はこの発明の実施の形態６によるディジタル回線伝送装置を示す構成図であり、図において、１０２はこの発明の実施の形態３のディジタル回線伝送装置である。１０１はディジタル回線伝送装置１０２との間で運用監視情報のやりとりを行なう運用監視制御卓であり、ディジタル回線伝送装置１０２の運用情報を監視したり、運用上の様々なパラメータを設定したりするために用いられる。図において第７図に示された実施の形態３と同一の符号は、同一の構成要素を示している。
次に動作について説明する。
ディジタル回線伝送装置１０２の運用監視制御部４は、運用監視制御卓１０１と接続され、ディジタル回線伝送装置１０２の無音時間計測部３３の設定時間ＴＣが運用管理者により運用監視制御卓１０１のマン・マシンインタフェースを使用して設定される。この設定される設定時間ＴＣは、ディジタル回線伝送装置１０２が使用される回線の特徴、音質を重視するか、多重化効率を重視するか等の条件によって、運用管理者が決める。設定された設定時間ＴＣは、ディジタル回線伝送装置１０２の運用監視制御部４に送られ、さらに、無音時間計測部３３に設定される。
無音時間計測部３３は、この設定された設定時間ＴＣと無音時間とを比較する。運用管理者が設定した設定時間ＴＣは、実施の形態３について説明した第８図の設定時間ＴＣとして、無音時間計測部３３内で使用される。この設定時間ＴＣを基準として判別された判別結果が判別信号として送信側コーデック切替器６に送出され、送信側コーデック切替器６によって音声コーデックの切り替えが実施される。ディジタル回線伝送装置１０２内の切り替え動作の詳細については、実施の形態３と同様なので説明を省略する。
以上の説明では、この実施の形態６を、実施の形態３のディジタル回線伝送装置１０２に運転監視制御卓１０１を追加したものとして説明したが、この実施の形態６は、第９図に示された実施の形態４のディジタル回線伝送装置に運転監視制御卓１０１を追加したものでもよい。
以上のように、この実施の形態６のディジタル回線伝送装置は、実施の形態３の特徴に加えて、運用情報の監視および各種設定を行なうための運用監視制御卓（１０１）をさらに有し、ディジタル回線のトラヒックの大小を判定するための判定閾値が運用監視制御卓（１０１）を用いて設定され、判定閾値を基準として、第１の音声符号化装置（７および１０）および第２の音声符号化装置（８および１１）の一方から他方へ切り替えを行なうものである。
この実施の形態６のディジタル回線伝送装置は、実施の形態４の特徴に加えて、運用情報の監視および各種設定を行なうための運用監視制御卓（１０１）をさらに有し、ディジタル回線のトラヒックの大小を判定するための判定閾値が運用監視制御卓（１０１）を用いて設定され、判定閾値を基準として、第１の音声符号化装置（７および１０）および第２の音声符号化装置（８および１１）の一方から他方へ切り替えを行なうものである。
以上で明らかなように、この実施の形態６によれば、運用監視制御卓を用いて設定時間を設定するように構成したので、運用管理者が回線の使用状況等を加味して設定時間を設定することができ、ディジタル回線伝送装置をより利便性の高いものとすることができる効果を奏する。
実施の形態７．
第１２図はこの発明の実施の形態７によるディジタル回線伝送装置を示す構成図であり、図において、１０３は時刻を計数する時計である。図において、第１０図に示された実施の形態５と同一の符号は、同一の構成要素を示している。この実施の形態７は、実施の形態５のディジタル回線伝送装置において運用監視制御卓１０１内に時計１０３をさらに有する構成となっている。
次に動作について説明する。
一般的に、通信回線上のトラヒックは昼間と深夜とでは異なり、例えば、深夜は音声信号のトラヒックが減少し、昼間でも夕方は特にトラヒックが多いというように時刻に対する相関性がある。この実施の形態７では、実施の形態５の運用監視制御部４に設定するトラヒックの大小を判定するための判定閾値が、複数の種類の判定閾値として運用監視制御卓１０１内に保持されていて、運用監視制御卓１０１内の時計１０３によって設定された時刻に、予め指定された種類の判定閾値が自動的にディジタル回線伝送装置１００の運用監視制御部４に送出される。
運用監視制御卓１０１からディジタル回線伝送装置１００の運用監視制御部４に送出される判定閾値の種類および送出する時刻は、運用管理者が運用監視制御卓１０１に予め設定しておく。
ディジタル回線伝送装置１００は、運用監視制御卓１０１から入力する判定閾値を基準としてトラヒックの大小を判別し、判別結果を制御信号として送信側コーデック切替器６に送出する。したがって、ディジタル回線伝送装置１００は時刻によって異なる判定閾値を基準としてトラヒックの大小を判別し、その判別結果によって音声コーデックの切り替えを行なうことになる。
以上の説明では、この実施の形態７を、実施の形態５において運用監視制御卓１０１内に時計１０３を設けたものとして説明したが、この実施の形態７は、第１１図に示された実施の形態６において運用監視制御卓１０１内に時計１０３を設けて、複数種類の設定時間を運用監視制御卓１０１に保持して、時計１０３に設定された時刻に、予め指定された種類の設定時間が自動的にディジタル回線伝送装置１００の運用監視制御部４に送出され、無音時間計測部３３に入力されるようにしてもよい。
以上のように、この実施の形態７のディジタル回線伝送装置は、実施の形態５の特徴に加えて、運用監視制御卓（１０１）が、時刻を計数するための時計（１０３）を有し、時計（１０３）によって計数された時刻に応じて異なる種類の判定閾値が基準として用いられるものである。
この実施の形態７のディジタル回線伝送装置は、実施の形態６の特徴に加えて、運用監視制御卓（１０１）が、時刻を計数するための時計（１０３）を有し、時計（１０３）によって計数された時刻に応じて異なる種類の設定時間が用いられるものである。
以上で明らかなように、この実施の形態７によれば、運用監視制御卓内部の時計によって時刻を計数し、計数された時刻に応じて異なる種類の判定閾値または設定時間を用いるように構成したので、運転管理者の負担を減らし、かつ時刻に応じたきめ細かな運用ができ、ディジタル回線伝送装置をより利便性の高いものとすることができる効果を奏する。
産業上の利用可能性
以上のように、この発明に係るディジタル回線伝送装置は、聴覚上全く自然でかつ通信回線を常に有効に利用しながら通信回線の状況等に応じて音声コーデックの切り替えを実施する用途に適している。
【図面の簡単な説明】
第１図は従来のディジタル回線伝送装置を示す構成図である。
第２図はディジタル回線伝送装置間の通信フォーマットの一例を示す図である。
第３図はこの発明の第１の実施の形態におけるディジタル回線伝送装置を示す構成図である。
第４図はこの発明の第１の実施の形態におけるディジタル回線多重化装置の動作を説明する信号タイミングの相互関係を示す図である。
第５図はこの発明の第２の実施の形態におけるディジタル回線伝送装置を示す構成図である。
第６図はこの発明の第２の実施の形態におけるディジタル回線多重化装置の動作を説明する信号タイミングの相互関係を示す図である。
第７図はこの発明の第３の実施の形態におけるディジタル回線伝送装置を示す構成図である。
第８図はこの発明の第３の実施の形態におけるディジタル回線多重化装置の動作を説明する信号タイミングの相互関係を示す図である。
第９図はこの発明の第４の実施の形態におけるディジタル回線伝送装置を示す構成図である。
第１０図はこの発明の第５の実施の形態におけるディジタル回線伝送装置を示す構成図である。
第１１図はこの発明の第６の実施の形態におけるディジタル回線伝送装置を示す構成図である。
第１２図はこの発明の第７の実施の形態におけるディジタル回線伝送装置を示す構成図である。
【図１】
2003067792.tif 000003
【図２】
2003067792.tif 000004
【図３】
2003067792.tif 000005
【図４】
2003067792.tif 000006
【図５】
2003067792.tif 000007
【図６】
2003067792.tif 000008
【図７】
2003067792.tif 000009
【図８】
2003067792.tif 000010
【図９】
2003067792.tif 000011
【図１０】
2003067792.tif 000012
【図１１】
2003067792.tif 000013
【図１２】
2003067792.tif 000014
【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】  音声信号の符号化および復号を行なう第１の音声符号化装置と、音声信号の符号化および復号を行なう第２の音声符号化装置と、非音声信号の符号化および復号を行なう非音声符号化装置とを備えた符号・復号器と、
上記符号・復号器に入力される信号が有音および無音のいずれであるかを検出する有音検出部と、上記入力される信号が音声信号および非音声信号のいずれであるかを識別する音声・非音声信号識別部とを備えた信号識別器と、
上記第１の音声符号化装置、上記第２の音声符号化装置および上記非音声符号化装置の各々の出力を多重化する信号多重・分離部と、
上記第１の音声符号化装置、上記第２の音声符号化装置および上記非音声符号化装置のいずれかに上記入力される信号を供給する切替器とを有し、
上記入力される信号が無音のときに上記第１の音声符号化装置および上記第２の音声符号化装置の一方から他方へ切り替えて供給されることを特徴とする圧縮符号化ディジタル回線伝送装置。
【請求項２】  符号・復号器が、
第１の音声符号化装置から出力される音声信号を遅延させる第１の遅延部と、
第２の音声符号化装置から出力される音声信号を遅延させる第２の遅延部とをさらに有することを特徴とする請求項１記載のディジタル回線伝送装置。
【請求項３】  符号・復号器に入力される信号が無音である無音時間を計測する無音時間計測部をさらに有し、
上記無音時間が設定時間より長いときに、第１の音声符号化装置および第２の音声符号化装置の一方から他方へ切り替えを行なうことを特徴とする請求項１記載のディジタル回線伝送装置。
【請求項４】  運用情報の監視および各種設定を行なうための運用監視制御卓をさらに有し、
ディジタル回線のトラヒックの大小を判定するための判定閾値が上記運用監視制御卓を用いて設定され、
上記判定閾値を基準として、第１の音声符号化装置および第２の音声符号化装置の一方から他方へ切り替えを行なうことを特徴とする請求項１記載のディジタル回線伝送装置。
【請求項５】  運用情報の監視および各種設定を行なうための運用監視制御卓をさらに有し、
設定時間が上記運用監視制御卓を用いて設定されることを特徴とする請求項３記載のディジタル回線伝送装置。
【請求項６】  運用監視制御卓が、時刻を計数するための時計を有し、
上記時計によって計数された時刻に応じて異なる種類の判定閾値が基準として用いられることを特徴とする請求項４記載のディジタル回線伝送装置。
【請求項７】  運用監視制御卓が、時刻を計数するための時計を有し、
上記時計によって計数された時刻に応じて異なる種類の設定時間が用いられることを特徴とする請求項５項記載のディジタル回線伝送装置。
【請求項８】  符号化方式または符号化する際のビットレートが異なる複数の符号化装置と、
上記符号化装置の出力を回線へ出力するインタフェースと、
入力された音声信号を上記複数の符号化装置へ選択的に出力する切替器と、
上記回線におけるトラヒック量に基づき上記切替器の出力先を制御するとともに、上記音声信号の音声レベルに基づき上記切替器の切替タイミングを制御する制御部とを有することを特徴とするディジタル回線伝送装置。
【国際調査報告】
2003067792.tif 000015
2003067792.tif 000016
2003067792.tif 000017
2003067792.tif 000018